(57)【要約】【課題】２つの空気流れを分離して流す遠心式送風機において、分離筒によって空気流れに生じる圧力損失を低減する。【解決手段】分離筒１８は、ファン軸方向ＤＲａの他方側ほどファン径方向ＤＲｒへ拡がっている。そして、分離筒１８は、その分離筒１８の分離筒他端位置ＰＴａでは、ファン軸方向ＤＲａに対し斜めファン径方向ＤＲｒの外側を向いて拡がった形状を成している。従って、例えば分離筒１８が分離筒他端位置ＰＴａでファン軸方向ＤＲａに対し直交してファン径方向ＤＲｒの外側を向いて拡がった形状を成している場合と比較して、分離筒１８において拡径する他方側部分１８４の曲率半径Ｒｃを大きくすることが可能である。すなわち、分離筒１８の外縁径Ｄｃｒの拡大を必要とせずに、分離筒１８に沿う空気流れを曲げることに起因した圧力損失を低減することが可能である。【選択図】図１
2020016229.tif 000002
【特許請求の範囲】
【請求項１】
遠心式送風機であって、
ファン軸心（ＣＬ）周りに配置された複数のブレード（１２１）、および分離板（１３）を有し、前記ファン軸心の軸方向（ＤＲａ）の一方側から吸入した空気を径方向（ＤＲｒ）の外側に向けて吹き出す遠心ファン（１２）と、
前記遠心ファンを収容し、前記遠心ファンに対し前記軸方向の前記一方側に配置され前記遠心ファンへ吸い込まれる空気が通過する吸入口（１４ａ）と前記遠心ファンに対する前記径方向の外側に設けられ該遠心ファンから吹き出された空気が流れる吹出空気通路（１４２ａ）とが形成され、該吹出空気通路を第１空気通路（１４２ｂ）と該第１空気通路に対し前記軸方向の他方側に配置された第２空気通路（１４２ｃ）とに仕切る仕切板（１５）を有するファンケーシング（１４）と、
前記複数のブレードに対して前記遠心ファンの前記径方向の内側に配置され、前記軸方向を向いた筒状を成す分離筒（１８）とを備え、
前記分離筒は、前記吸入口を通過する空気を、前記分離筒に対する前記径方向の内側を流れる内側空気と前記分離筒に対する前記径方向の外側を流れる外側空気とに分離し、
前記分離板は、前記径方向に拡がる板状を成し、前記複数のブレードの相互間において前記分離板に対する前記軸方向の前記一方側に前記外側空気が流れ且つ前記分離板に対する前記軸方向の前記他方側に前記内側空気が流れるように配置され、
前記仕切板は、前記遠心ファンから前記第１空気通路に前記外側空気が流れ込み且つ前記第２空気通路に前記内側空気が流れ込むように配置され、
前記分離筒は、前記軸方向の前記他方側ほど前記径方向へ拡がっており、前記軸方向の前記他方側の端の位置である分離筒他端位置（ＰＴａ）では、前記軸方向に対し斜め前記径方向の外側を向いて拡がった形状を成している、遠心式送風機。
【請求項２】
前記分離板は、前記径方向の外側に設けられた分離板外側端（１３１）と、前記径方向の内側に設けられた分離板内側端（１３２）とを有し、
前記分離板内側端は、前記分離板外側端に対して前記軸方向の前記一方側に位置している、請求項１に記載の遠心式送風機。
【請求項３】
前記ファン軸心を含む平面で前記遠心ファンを切断した縦断面において、前記分離板は、前記分離板内側端から前記分離板外側端へ向かうほど前記ファン軸心に直交する向きに近い角度で前記径方向に拡がるように湾曲している、請求項２に記載の遠心式送風機。
【請求項４】
前記ファン軸心を含む平面で前記遠心ファンを切断した縦断面において、前記分離板は、前記分離板内側端から前記分離板外側端へ向かうほど前記分離板が前記ファン軸心に対して成す角度が前記ファン軸心に直交する角度に段階的に近づくように形成されている、請求項２に記載の遠心式送風機。
【請求項５】
前記仕切板は、前記径方向の内側に設けられた仕切板内側端（１５２）と、該仕切板内側端に対し前記軸方向の前記他方側に位置する部分（１５３、１５５、１５６）とを有している、請求項１ないし４のいずれか１つに記載の遠心式送風機。
【請求項６】
前記ファンケーシングは、前記吹出空気通路に対し前記径方向の外側から面する外周壁（１４３）を有し、
前記仕切板は、前記径方向の外側に設けられ前記外周壁に接続した仕切板外側端（１５１）を有し、該仕切板外側端の位置では、前記軸方向に対し直交する方向に沿って拡がる形状を成している、請求項５に記載の遠心式送風機。
【請求項７】
前記ファン軸心を含む平面で前記遠心ファンを切断した縦断面において、前記仕切板は、前記仕切板内側端から前記径方向の外側へ向かうほど前記ファン軸心に直交する向きに近い角度で前記径方向に拡がるように湾曲している、請求項５または６に記載の遠心式送風機。
【請求項８】
前記ファン軸心を含む平面で前記遠心ファンを切断した縦断面において、前記仕切板は、前記仕切板内側端から前記径方向の外側へ向かうほど前記仕切板が前記ファン軸心に対して成す角度が前記ファン軸心に直交する角度に段階的に近づくように形成されている、請求項５または６に記載の遠心式送風機。
【請求項９】
前記分離板は、前記径方向の内側の端の位置で、前記軸方向の前記一方側から前記他方側へ延伸する内側端面（１３２ａ）を有し、
前記分離筒は、前記分離筒他端位置で、前記軸方向の前記一方側から前記他方側へ延伸する分離筒端面（１８５ａ）を有し、
前記軸方向において、前記内側端面の前記他方側の端（１３２ｂ）は、前記分離筒端面の前記一方側の端（１８５ｂ）よりも前記他方側に位置している、請求項１ないし８のいずれか１つに記載の遠心式送風機。
【請求項１０】
前記分離板は、前記径方向の外側の端の位置で、前記軸方向の前記一方側から前記他方側へ延伸する外側端面（１３１ａ）を有し、
前記仕切板は、前記径方向の内側の端の位置で、前記軸方向の前記一方側から前記他方側へ延伸する仕切板端面（１５２ａ）を有し、
前記軸方向において、前記外側端面の前記一方側の端（１３１ｂ）は、前記仕切板端面の前記他方側の端（１５２ｂ）よりも前記一方側に位置している、請求項１ないし９のいずれか１つに記載の遠心式送風機。
【請求項１１】
前記遠心ファンは、前記分離筒に対し前記軸方向の前記他方側に配置され前記径方向に拡がる板状を成す主板（１２２）を有し、
前記主板は、前記軸方向の前記一方側に、前記内側空気が前記径方向の外側に向けて流れるように該内側空気を案内する主板案内面（１２２ａ）を有し、
前記分離筒は、前記径方向の内側を向いた内向き面（１８２ａ）を含んで前記分離筒他端位置まで延びる分離筒内側面（１８２）を有し、
前記主板案内面は、前記径方向の外側ほど前記軸方向の前記他方側に位置するように延びており、
前記ファン軸心を含む平面で前記遠心ファンを切断した縦断面において、前記分離筒他端位置における前記分離筒内側面の法線（Ｌｎ）と前記主板案内面とが交差する交点（Ｐｎ）で得られる前記主板案内面の接線方向（Ｄ２ｔ）は、前記分離筒他端位置で得られる前記分離筒内側面の接線方向（Ｄ１ｔ）と同じ向き、または、該分離筒内側面の接線方向よりも前記ファン軸心に直交する向きに近い向きとなっている、請求項１ないし１０のいずれか１つに記載の遠心式送風機。
【請求項１２】
前記複数のブレードはそれぞれ、該ブレードのうち前記分離板に対する前記軸方向の前記一方側の部分であるブレード一方側部分（１２１ｃ）と、前記ブレードのうち前記分離板に対する前記軸方向の前記他方側の部分であるブレード他方側部分（１２１ｄ）とを有し、
前記分離板は、前記ブレード一方側部分よりも前記径方向の内側にまで延びている、請求項１ないし１１のいずれか１つに記載の遠心式送風機。
【請求項１３】
前記ファン軸心を中心とした前記ブレード他方側部分の内径寸法（ＤＩｂ）は、前記ファン軸心を中心とした前記ブレード一方側部分の内径寸法（ＤＩａ）よりも小さい、請求項１２に記載の遠心式送風機。
【発明の詳細な説明】
【技術分野】
【０００１】
本発明は、遠心式送風機に関するものである。
【背景技術】
【０００２】
特許文献１には、内外気二層流式の車両用空調装置に適用される遠心式送風機が記載されている。この遠心式送風機は、２つの空気流れを区分して同時に片方から吸入することができる。この遠心式送風機は、複数のブレードを有しファン軸心を中心に回転する遠心ファンと、その複数のブレードに対して遠心ファンの径方向の内側に配置された分離筒とを備えている。
【０００３】
その分離筒は、ファン軸心を中心とした略円筒状を成し、スクロールケーシングの吸入口から遠心ファンに至る空気通路を２つの空気通路に仕切る。そして、分離筒は、ファン軸心の軸方向で吸入口側から遠心ファン側へ向かうに連れて遠心ファンの径方向へ拡がった形状を成している。更に、分離筒は、その遠心ファン側の端の位置では、ファン軸心に直交し径方向の外側へ延伸する形状を成している。
【先行技術文献】
【特許文献】
【０００４】
【特許文献１】特開２００４−１３２３４２号公報
【発明の概要】
【発明が解決しようとする課題】
【０００５】
特許文献１の遠心式送風機では、吸入口から遠心ファンへ向かう空気流れは、分離筒の湾曲した形状に沿って軸方向向きから径方向外側向きにされた上で、遠心ファンのブレードの相互間に吸い込まれる。このように空気流れの向きが分離筒によって強制的に変えられるので、分離筒のうちの遠心ファン側の端部付近では、分離筒に沿う空気流れに圧力損失が生じてしまう。発明者らの詳細な検討の結果、以上のようなことが見出された。
【０００６】
本発明は上記点に鑑みて、分離筒によって空気流れに生じる圧力損失を低減することができる遠心式送風機を提供することを目的とする。
【課題を解決するための手段】
【０００７】
上記目的を達成するため、請求項１に記載の遠心式送風機は、
ファン軸心（ＣＬ）周りに配置された複数のブレード（１２１）、および分離板（１３）を有し、ファン軸心の軸方向（ＤＲａ）の一方側から吸入した空気を径方向（ＤＲｒ）の外側に向けて吹き出す遠心ファン（１２）と、
遠心ファンを収容し、遠心ファンに対し上記軸方向の一方側に配置され遠心ファンへ吸い込まれる空気が通過する吸入口（１４ａ）と遠心ファンに対する上記径方向の外側に設けられ遠心ファンから吹き出された空気が流れる吹出空気通路（１４２ａ）とが形成され、その吹出空気通路を第１空気通路（１４２ｂ）とその第１空気通路に対し上記軸方向の他方側に配置された第２空気通路（１４２ｃ）とに仕切る仕切板（１５）を有するファンケーシング（１４）と、
複数のブレードに対して遠心ファンの上記径方向の内側に配置され、上記軸方向を向いた筒状を成す分離筒（１８）とを備え、
分離筒は、吸入口を通過する空気を、分離筒に対する上記径方向の内側を流れる内側空気と分離筒に対する上記径方向の外側を流れる外側空気とに分離し、
分離板は、上記径方向に拡がる板状を成し、複数のブレードの相互間において分離板に対する上記軸方向の一方側に外側空気が流れ且つ分離板に対する上記軸方向の他方側に内側空気が流れるように配置され、
仕切板は、遠心ファンから第１空気通路に外側空気が流れ込み且つ第２空気通路に内側空気が流れ込むように配置され、
分離筒は、上記軸方向の他方側ほど上記径方向へ拡がっており、上記軸方向の他方側の端の位置である分離筒他端位置（ＰＴａ）では、上記軸方向に対し斜め上記径方向の外側を向いて拡がった形状を成している。
【０００８】
このようにすれば、例えば分離筒が分離筒他端位置で軸方向に対し直交し径方向の外側を向いて拡がった形状を成している場合と比較して、分離筒に沿う空気流れの向きをブレードの相互間へ向かうように緩やかに変えることが可能である。そのため、分離筒の外径拡大を必要とせずに、分離筒に沿う空気流れを曲げることに起因した圧力損失を低減することが可能である。
【０００９】
なお、各構成要素等に付された括弧付きの参照符号は、その構成要素等と後述する実施形態に記載の具体的な構成要素等との対応関係の一例を示すものである。
【図面の簡単な説明】
【００１０】
【図１】第１実施形態における遠心式送風機の概略構成を示した図であって、遠心式送風機のファン軸心を含む平面で遠心式送風機を切断した縦断面を示す断面図である。
【図２】図１のII部分を拡大して表示した部分拡大図である。
【図３】第１実施形態と比較される第１比較例を（ａ）に模式的に示すと共に、第１実施形態と比較される第２比較例を（ｂ）に模式的に示した断面図である。
【図４】第３比較例の遠心式送風機の概略構成を示した縦断面図であって、図１に相当する図である。
【図５】第４比較例の遠心式送風機の縦断面図において分離筒と分離板と仕切板とを模式的に示した図である。
【図６】第２実施形態の遠心式送風機の縦断面図において分離筒と分離板と仕切板とを模式的に示した図である。
【図７】第３実施形態の遠心式送風機の縦断面図において分離筒と分離板と仕切板とを模式的に示した図であって、図６に相当する図である。
【図８】第４実施形態の遠心式送風機の縦断面図において分離筒と分離板と仕切板とを模式的に示した図であって、図６に相当する図である。
【図９】第５実施形態の遠心式送風機の縦断面図において分離筒と分離板と仕切板とを模式的に示した図であって、図６に相当する図である。
【図１０】第６実施形態の遠心式送風機の縦断面図において分離筒と分離板と仕切板とを模式的に示した図であって、図６に相当する図である。
【図１１】第７実施形態の遠心式送風機の縦断面図において分離筒と分離板と仕切板とを模式的に示した図であって、図６に相当する図である。
【図１２】第８実施形態の遠心式送風機の縦断面図において分離筒と分離板と仕切板とを模式的に示した図であって、図６に相当する図である。
【図１３】第９実施形態の遠心式送風機の概略構成を示した縦断面図であって、図１に相当する図である。
【図１４】第１０実施形態の遠心式送風機の概略構成を示した縦断面図であって、図１に相当する図である。
【図１５】第１１実施形態の遠心式送風機の概略構成を示した縦断面図である。
【図１６】図１５のXVI部分を拡大して示した部分拡大図である。
【発明を実施するための形態】
【００１１】
以下、図面を参照しながら、各実施形態を説明する。なお、以下の各実施形態相互において、互いに同一もしくは均等である部分には、図中、同一符号を付してある。
【００１２】
（第１実施形態）
図１に示す本実施形態の遠心式送風機１０は、内外気二層流式の車両用空調装置に適用される。この車両用空調装置は、車室内空気（すなわち、内気）および車室外空気（すなわち、外気）を区分して同時に吸入することができる。以下の説明では、遠心式送風機１０を単に送風機１０と呼ぶ。
【００１３】
図１に示すように、送風機１０は、遠心ファン１２と、ファンケーシング１４と、モータ１６と、分離筒１８とを備えている。遠心ファン１２は、ファン軸心ＣＬを中心に回転する。遠心ファン１２は、その遠心ファン１２の回転に伴い、ファン軸心ＣＬの軸方向ＤＲａの一方側から吸入した空気を遠心ファン１２の径方向ＤＲｒの外側に向けて吹き出す。この図１は、ファン軸心ＣＬを含む平面で遠心ファン１２とファンケーシング１４と分離筒１８とを切断した縦断面、要するにファン軸心ＣＬを含む平面で送風機１０を切断した縦断面を示している。以下の説明では、この縦断面を、送風機１０の縦断面、または図１の縦断面と呼ぶ。
【００１４】
なお、本実施形態では、ファン軸心ＣＬの軸方向ＤＲａすなわち遠心ファン１２の軸方向ＤＲａをファン軸方向ＤＲａと呼ぶ。また、ファン軸心ＣＬの径方向ＤＲｒすなわち遠心ファン１２の径方向ＤＲｒをファン径方向ＤＲｒと呼ぶ。ファン径方向ＤＲｒは、ファン軸方向ＤＲａに対して垂直な方向である。
【００１５】
遠心ファン１２は、複数のブレード１２１と、主板１２２と、補強部材１２３と、分離板１３とを有している。複数のブレード１２１は、ファン軸心ＣＬの周りに並んで配置されている。複数のブレード１２１のそれぞれは、ファン軸方向ＤＲａの一方側の端である一方端１２１ａと、ファン軸方向ＤＲａの他方側の端である他方端１２１ｂとを有する。
【００１６】
主板１２２は、ファン径方向ＤＲｒへ拡がる板状を成している。要するに、主板１２２は、ファン軸心ＣＬを中心とした円盤状である。主板１２２は、分離筒１８に対しファン軸方向ＤＲａの他方側に配置されている。主板１２２の中心部には、モータ１６の回転軸１６１が相対回転不能に連結されている。主板１２２のうちファン径方向ＤＲｒの外側の部分には、複数のブレード１２１の他方端１２１ｂが固定されている。
【００１７】
また、主板１２２は、ファン軸方向ＤＲａの一方側に、主板案内面１２２ａを有している。この主板案内面１２２ａは、ファン軸方向ＤＲａの一方側を向いてファン径方向ＤＲｒに拡がっている。
【００１８】
補強部材１２３は、遠心ファン１２を補強する。補強部材１２３は、ファン軸心ＣＬを中心とした環状を成している。補強部材１２３は、複数のブレード１２１のそれぞれのうち一方端１２１ａ側かつ径方向外側の部分に、固定されている。
【００１９】
分離板１３は、複数のブレード１２１の相互間に流れる空気を、分離板１３に対するファン軸方向ＤＲａの一方側を流れる空気と、分離板１３に対するファン軸方向ＤＲａの他方側を流れる空気とに分離する。
【００２０】
具体的に、分離板１３は、複数のブレード１２１のそれぞれと交差し且つファン軸心ＣＬを中心として環状に延びている。そして、分離板１３は、ファン径方向ＤＲｒに拡がる板状を成している。複数のブレード１２１のそれぞれと分離板１３とは、ブレード１２１と分離板１３とが交差している部分で、互いに固定されている。本実施形態では、複数のブレード１２１、主板１２２、補強部材１２３、および分離板１３は、一体に樹脂成形された一体成形品として構成されている。
【００２１】
図１および図２に示すように、分離板１３は、ファン径方向ＤＲｒの外側に設けられた分離板外側端１３１と、ファン径方向ＤＲｒの内側に設けられた分離板内側端１３２とを有している。その分離板外側端１３１は、ファン径方向ＤＲｒの外側を向いた外側端面１３１ａを有している。外側端面１３１ａは、ファン径方向ＤＲｒにおける分離板１３の外側の端の位置で、ファン軸方向ＤＲａの一方側から他方側へ延伸する環形状の端面である。
【００２２】
また、分離板内側端１３２は、ファン径方向ＤＲｒの内側を向いた内側端面１３２ａを有している。内側端面１３２ａは、ファン径方向ＤＲｒにおける分離板１３の内側の端の位置で、ファン軸方向ＤＲａの一方側から他方側へ延伸する環形状の端面である。
【００２３】
また、分離板内側端１３２は、分離板外側端１３１に対してファン軸方向ＤＲａの一方側に位置している。詳細には、分離板１３は、ファン径方向ＤＲｒの外側ほどファン軸方向ＤＲａの他方側に位置するように連続的に延びている。更に、分離板１３は、図１の縦断面では、ファン軸心ＣＬに対して傾斜し、分離板内側端１３２から分離板外側端１３１まで直線的に延びている。
【００２４】
本実施形態では、ブレード１２１のうち、分離板１３に対するファン軸方向ＤＲａの一方側の部分であるブレード一方側部分１２１ｃの翼型は、シロッコファンの翼型である。これと同様に、ブレード１２１のうち、分離板１３に対するファン軸方向ＤＲａの他方側の部分であるブレード他方側部分１２１ｄの翼型も、シロッコファンの翼型である。
【００２５】
ファンケーシング１４は、送風機１０の外殻を構成する筐体として機能し、ファンケーシング１４の内部に遠心ファン１２を収容している。ファンケーシング１４には、遠心ファン１２へ吸い込まれる空気が通過する吸入口１４ａが形成されている。この吸入口１４ａは、遠心ファン１２に対しファン軸方向ＤＲａの一方側に配置されている。
【００２６】
そして、ファンケーシング１４は、吸入口１４ａの周縁部を構成するベルマウス１４１を有している。そのベルマウス１４１の断面形状は、吸入口１４ａを空気が円滑に流れるように、円弧状となっている。
【００２７】
また、ファンケーシング１４は、空気通路形成部１４２と仕切板１５とを有している。この空気通路形成部１４２には、遠心ファン１２に対するファン径方向ＤＲｒの外側に設けられた吹出空気通路１４２ａが形成されている。この吹出空気通路１４２ａには、遠心ファン１２から吹き出された空気が集まって流れる。例えば、この吹出空気通路１４２ａは、遠心ファン１２のまわりに渦巻き状に形成されている。そして、ファンケーシング１４はスクロールケーシングとも呼ばれる。
【００２８】
空気通路形成部１４２は、遠心ファン１２の周囲でファン軸方向ＤＲａに延伸する外周壁１４３を有している。この外周壁１４３は、吹出空気通路１４２ａに対しファン径方向ＤＲｒの外側から面している。
【００２９】
仕切板１５は、吹出空気通路１４２ａの内部に設けられている。仕切板１５は、仕切板１５に対するファン軸方向ＤＲａの一方側に配置された第１空気通路１４２ｂと、仕切板１５に対するファン軸方向ＤＲａの他方側に配置された第２空気通路１４２ｃとに、吹出空気通路１４２ａを仕切っている。
【００３０】
仕切板１５は、ファン径方向ＤＲｒに延伸する板状である。そして、仕切板１５は、ファン径方向ＤＲｒの外側に設けられた仕切板外側端１５１と、ファン径方向ＤＲｒの内側に設けられた仕切板内側端１５２とを有している。仕切板外側端１５１は、外周壁１４３に接続している。すなわち、仕切板１５は、仕切板外側端１５１を基端として、外周壁１４３から遠心ファン１２に向かって延伸している。本実施形態では、空気通路形成部１４２と仕切板１５とは、一体に樹脂成形された一体成形品として構成されている。仕切板１５の板厚、分離板１３の板厚、および分離筒１８の板厚は、例えば同じまたは略同じになっている。
【００３１】
仕切板内側端１５２は、ファン径方向ＤＲｒの内側を向いた仕切板端面１５２ａを有している。その仕切板端面１５２ａは、ファン径方向ＤＲｒにおける仕切板１５の内側の端の位置で、ファン軸方向ＤＲａの一方側から他方側へ延伸する環形状の端面である。
【００３２】
また、仕切板１５は、仕切板外側部分１５３と、その仕切板外側部分１５３に対するファン径方向ＤＲｒの内側に配置され仕切板外側部分１５３に直列に連結された仕切板内側部分１５４とを有している。仕切板外側部分１５３には仕切板外側端１５１が含まれ、仕切板内側部分１５４には仕切板内側端１５２が含まれる。
【００３３】
そして、仕切板外側部分１５３は、ファン軸方向ＤＲａへ変位することなくファン径方向ＤＲｒに拡がる形状を成している。すなわち、仕切板外側部分１５３は、ファン軸方向ＤＲａに対し直交する方向へ拡がる形状を成している。更に別言すれば、仕切板外側部分１５３は、ファン軸方向ＤＲａに対し直交する方向に沿って拡がる形状を成している。従って、仕切板１５は、仕切板外側端１５１の位置では、ファン軸方向ＤＲａに対し直交する方向に沿って拡がる形状を成している。
【００３４】
これに対し、仕切板内側部分１５４は、ファン径方向ＤＲｒの外側ほどファン軸方向ＤＲａの他方側に位置するように延びている。更に、仕切板内側部分１５４は、図１の縦断面では、ファン軸心ＣＬに対して傾斜し直線的に延びている。そのため、仕切板内側部分１５４は、仕切板内側部分１５４と仕切板外側部分１５３との境目で折れ曲がるようにして仕切板外側部分１５３へ連結している。
【００３５】
すなわち、図１の縦断面において、仕切板１５は、仕切板内側端１５２からファン径方向ＤＲｒの外側へ向かうほど、仕切板１５がファン軸心ＣＬに対して成す角度がファン軸心ＣＬに直交する角度に段階的に近づくように形成されている。
【００３６】
そして、仕切板内側部分１５４のうち仕切板内側端１５２を除いた部分と仕切板外側部分１５３は、仕切板内側端１５２に対しファン軸方向ＤＲａの他方側に位置する部分となっている。更に言えば、その仕切板外側部分１５３は、仕切板１５のうち、ファン軸方向ＤＲａの最も他方側に位置する部分となっている。そして、仕切板外側端１５１は、仕切板内側端１５２に対しファン軸方向ＤＲａの他方側に位置している。
【００３７】
また、図１の縦断面において、ファン軸心ＣＬに対する仕切板内側部分１５４の傾斜角度は、分離板１３の傾斜角度と同じになっている。
【００３８】
モータ１６は、遠心ファン１２を回転させる電動式の駆動装置である。モータ１６は、回転軸１６１と、本体部１６２とを有している。回転軸１６１は、本体部１６２からファン軸方向ＤＲａの一方側に向かって延伸している。回転軸１６１が回転することで、遠心ファン１２が回転する。本体部１６２は、ファンケーシング１４に固定されている。本体部１６２とファンケーシング１４と分離筒１８は、回転しない非回転部材である。
【００３９】
分離筒１８は、ファン軸方向ＤＲａに延伸する筒状の部材である。要するに、分離筒１８は、ファン軸方向ＤＲａを向いた筒状を成している。また、分離筒１８は、ファン軸方向ＤＲａの一方側の端と他方側の端とのそれぞれで開放された筒形状となっている。分離筒１８は、ベルマウス１４１と遠心ファン１２の複数のブレード１２１とに対してファン径方向ＤＲｒの内側に配置されている。分離筒１８は、その分離筒１８の一部が吸入口１４ａを通ってファンケーシング１４内へ挿入された配置となっている。分離筒１８は、例えばファンケーシング１４に対して固定されている。
【００４０】
このような形状および配置により、分離筒１８は、吸入口１４ａから遠心ファン１２に向かう空気流れを２つの空気流れに分離する。分離筒１８は、吸入口１４ａから遠心ファン１２に至る空気通路を２つの空気通路に仕切っている。すなわち、分離筒１８は、吸入口１４ａを通過する空気を、分離筒１８に対するファン径方向ＤＲｒの内側を流れる内側空気と分離筒１８に対するファン径方向ＤＲｒの外側を流れる外側空気とに分離する。図１では、その外側空気の流れが矢印Ｆｏで表され、その内側空気の流れが矢印Ｆｉで表されている。
【００４１】
また、分離筒１８はその内側空気と外側空気とをブレード１２１の相互間へ導くために、ファン軸方向ＤＲａの他方側ほどファン径方向ＤＲｒへ拡がった形状を成している。すなわち、分離筒１８のうちファン軸方向ＤＲａの他方側では、ファン軸方向ＤＲａの一方側から他方側の端へ向かうにつれて分離筒１８の直径が拡大している。
【００４２】
詳細には、分離筒１８は、一方側部分１８３と、その一方側部分１８３に対するファン軸方向ＤＲａの他方側に配置され一方側部分１８３に直列に連結された他方側部分１８４とを有している。その一方側部分１８３は、分離筒１８の直径を変化させずに、ファン軸方向ＤＲａに沿って延びている。
【００４３】
これに対し、分離筒１８の他方側部分１８４は、ファン径方向ＤＲｒの外側へ拡がるように曲がりながら、ファン軸方向ＤＲａの一方側から他方側へと延びている。そして、分離筒１８は、分離筒１８のうちファン軸方向ＤＲａの他方側の端の位置である分離筒他端位置ＰＴａでは、ファン軸方向ＤＲａに対し斜めファン径方向ＤＲｒの外側を向いて拡がった形状を成している。その分離筒他端位置ＰＴａは、他方側部分１８４におけるファン軸方向ＤＲａの他方側の端の位置でもある。
【００４４】
また、分離筒１８は、ファン軸方向ＤＲａの他方側に設けられた分離筒他方端１８５を有している。この分離筒他方端１８５は、分離筒１８の他方側部分１８４に含まれ、分離筒１８のうちファン径方向ＤＲｒの外側に設けられた径方向外側端でもある。
【００４５】
分離筒他方端１８５は、ファン径方向ＤＲｒの外側を向いた分離筒端面１８５ａを有している。分離筒端面１８５ａは、分離筒他端位置ＰＴａで、ファン軸方向ＤＲａの一方側から他方側へ延伸する環形状の端面である。
【００４６】
また、分離筒１８は、上述したように筒形状であるので、その筒形状の外側壁面として構成された分離筒外側面１８１と、その筒形状の内側壁面として構成された分離筒内側面１８２とを有している。分離筒外側面１８１および分離筒内側面１８２は何れも、一方側部分１８３から他方側部分１８４にわたって形成されている。
【００４７】
分離筒外側面１８１は、ファン径方向ＤＲｒの外側を向いた外向き面１８１ａを含んで分離筒他端位置ＰＴａまで延びている。別言すれば、分離筒外側面１８１は、その外向き面１８１ａを含んで分離筒他方端１８５まで延びている。その外向き面１８１ａは、分離筒１８の一方側部分１８３が有する外側壁面であり、ファン軸心ＣＬに沿ってファン軸方向ＤＲａに延びている。
【００４８】
そして、分離筒内側面１８２は、ファン径方向ＤＲｒの内側を向いた内向き面１８２ａを含んで分離筒他端位置ＰＴａまで延びている。別言すれば、分離筒内側面１８２は、その内向き面１８２ａを含んで分離筒他方端１８５まで延びている。その内向き面１８２ａは、分離筒１８の一方側部分１８３が有する内側壁面であり、ファン軸心ＣＬに沿ってファン軸方向ＤＲａに延びている。
【００４９】
主板案内面１２２ａは、矢印Ｆｉで示すように、複数のブレード１２１に対する空気流れ上流側で内側空気がファン径方向ＤＲｒの外側に向けて流れるように内側空気を案内する。そして、図１の縦断面において、分離筒他端位置ＰＴａにおける分離筒内側面１８２の法線Ｌｎと主板案内面１２２ａとが交差する交点Ｐｎを主板案内面交点Ｐｎとして得た場合に、次のようなことが言える。すなわち、図１の縦断面において、分離筒他端位置ＰＴａで得られる分離筒内側面１８２の接線方向Ｄ１ｔは、主板案内面交点Ｐｎで得られる主板案内面１２２ａの接線方向Ｄ２ｔと同じ向きになっている。詳細に言えば、その分離筒内側面１８２の接線方向Ｄ１ｔは、その主板案内面１２２ａの接線方向Ｄ２ｔと平行になっている。
【００５０】
図１に示すように、分離板１３は、矢印Ｆｏで示される外側空気の流れと、矢印Ｆｉで示される内側空気の流れとを、分離筒１８に対する空気流れ下流側でファン軸方向ＤＲａに分離するように配置されている。すなわち、分離板１３は、複数のブレード１２１の相互間において分離板１３に対するファン軸方向ＤＲａの一方側に矢印Ｆｏのように外側空気が流れ且つ分離板１３に対するファン軸方向ＤＲａの他方側に矢印Ｆｉのように内側空気が流れるように配置されている。
【００５１】
そして、仕切板１５は、矢印Ｆｏで示される外側空気の流れと、矢印Ｆｉで示される内側空気の流れとを、遠心ファン１２に対する空気流れ下流側でファン軸方向ＤＲａに分離するように配置されている。すなわち、仕切板１５は、遠心ファン１２から第１空気通路１４２ｂに矢印Ｆｏのように外側空気が流れ込み且つ第２空気通路１４２ｃに矢印Ｆｉのように内側空気が流れ込むように配置されている。
【００５２】
要するに、分離板１３と仕切板１５はそれぞれ、外側空気と内側空気とが分離筒１８に対する空気流れ下流側で混ざり合うことを抑制するように配置されている。
【００５３】
なお、図１に示すように、分離板１３と分離筒１８との間、および分離板１３と仕切板１５との間にはそれぞれ、相対回転を許容するために隙間がある。従って、詳細には次のように言える。すなわち、複数のブレード１２１の相互間において、分離板１３に対するファン軸方向ＤＲａの一方側には外側空気の方が内側空気よりも格段に多く流れ、且つ分離板１３に対するファン軸方向ＤＲａの他方側には内側空気の方が外側空気よりも格段に多く流れる。そして、遠心ファン１２から第１空気通路１４２ｂには外側空気の方が内側空気よりも格段に多く流れ込み、且つ第２空気通路１４２ｃには内側空気の方が外側空気よりも格段に多く流れ込む。
【００５４】
上述のように外側空気と内側空気とを分離するために、具体的には、図２に示すように、ファン軸方向ＤＲａにおいて、分離板１３の内側端面１３２ａが有する他方側の端１３２ｂは、分離筒端面１８５ａが有する一方側の端１８５ｂよりも他方側に位置している。
【００５５】
詳細に言うと、送風機１０の縦断面において、分離筒他方端１８５と分離板内側端１３２との間をつなぐように直線的に補完した場合に、分離板１３は、分離筒１８から連続してつながるように配置されている。その「連続してつながる」ことは、段差および折曲がりが全く無くつながることだけでなく、分離板１３および分離筒１８の板厚と比較して微少な段差または微少な折曲がりが生じる程度で分離板１３と分離筒１８とがつながることであっても差し支えない。このことは、後述する分離板１３と仕切板１５との間における「連続してつながる」ことについても同様である。
【００５６】
そして、ファン軸方向ＤＲａにおいて、分離板１３の外側端面１３１ａが有する一方側の端１３１ｂは、仕切板端面１５２ａが有する他方側の端１５２ｂよりも一方側に位置している。詳細に言うと、送風機１０の縦断面において、分離板外側端１３１と仕切板内側端１５２との間をつなぐように直線的に補完した場合に、分離板１３は、仕切板１５から連続してつながるように配置されている。
【００５７】
以上のように構成された本実施形態の送風機１０では、モータ１６によって遠心ファン１２が回転すると、遠心ファン１２の軸方向ＤＲａの一方側から遠心ファン１２のファン径方向ＤＲｒの内側に空気が吸込まれる。その吸込まれた空気は、遠心ファン１２からファン径方向ＤＲｒの外側へ吹き出される。遠心ファン１２から吹出された空気は、ファンケーシング１４の吹出空気通路１４２ａを流れた後、ファンケーシング１４の出口から吹出される。
【００５８】
このとき、図１に示すように、送風機１０の内部では、分離筒１８、分離板１３および仕切板１５によって、矢印Ｆｏで表される外側空気と矢印Ｆｉで表される内側空気とが分離した状態で流れる。
【００５９】
送風機１０から吹出された空気は、図示しない車両用空調装置の空調ケーシングを流れる。空調ケーシングの内部には、空気温度を調整する温度調整器が配置されている。送風機１０から吹出された空気は、温度調整器によって温度が調整された後、車室内に吹出される。空調ケーシングの内部でも、外側空気の流れと内側空気の流れとが分離された状態は維持される。そして、２つの空気流れはそれぞれ温度調整された後、例えば互いに異なる吹出口から車室内へ吹出される。
【００６０】
上述したように、本実施形態によれば、図１に示すように、分離筒１８は、ファン軸方向ＤＲａの他方側ほどファン径方向ＤＲｒへ拡がっている。そして、分離筒１８は、その分離筒１８の分離筒他端位置ＰＴａでは、ファン軸方向ＤＲａに対し斜めファン径方向ＤＲｒの外側を向いて拡がった形状を成している。
【００６１】
従って、例えば図３の（ａ）に示される第１比較例の送風機９１と比較して、分離筒１８において拡径する他方側部分１８４の曲率半径Ｒｃを大きくすることが可能である。すなわち、その第１比較例の送風機９１との比較で、分離筒１８に沿う空気流れの向きをブレード１２１の相互間へ向かうように緩やかに変えることが可能である。そのため、本実施形態では、分離筒１８の外縁径Ｄｃｒの拡大を必要とせずに、分離筒１８に沿う空気流れを曲げることに起因した圧力損失を低減することが可能である。
【００６２】
ここで、図３の（ｂ）に示される第２比較例の送風機９２のように、第１比較例の送風機９１に対し矢印Ａｃｒのように外縁径Ｄｃｒを拡大することで、他方側部分１８４の曲率半径Ｒｃを大きくすることは可能である。しかしながら、そのようにすれば、送風機９２の体格が拡大してしまう。これに対し、図１に示す本実施形態の分離筒１８は、その分離筒１８の分離筒他端位置ＰＴａでは、ファン軸方向ＤＲａに対し斜めファン径方向ＤＲｒの外側を向いて拡がった形状を成している。従って、分離筒１８の外縁径Ｄｃｒを拡大することなく、他方側部分１８４の曲率半径Ｒｃを大きくすることが可能である。
【００６３】
なお、図３の（ａ）（ｂ）に示すように、第１、第２比較例の送風機９１、９２が有する分離筒１８は何れも、分離筒１８の分離筒他端位置ＰＴａ（図１参照）では、ファン軸方向ＤＲａに対し直交してファン径方向ＤＲｒの外側を向いて拡がった形状を成している。また、図３の（ａ）（ｂ）では、送風機９１、９２の縦断面のうちファン軸心ＣＬに対する片側だけが抜粋して表されており、このことは、図３と同様の後述する図でも同じである。
【００６４】
また、本実施形態によれば、図１および図２に示すように、分離板１３において分離板内側端１３２は、分離板外側端１３１に対してファン軸方向ＤＲａの一方側に位置している。従って、分離筒外側面１８１に沿って流れファン軸方向ＤＲａの他方側へ向いた速度成分を有する外側空気が分離板１３へ衝突することに起因した圧損を減らすことが可能である。
【００６５】
また、本実施形態によれば、仕切板１５は仕切板外側部分１５３を有し、その仕切板外側部分１５３は、仕切板内側端１５２に対しファン軸方向ＤＲａの他方側に位置する部分に含まれる。
【００６６】
従って、複数のブレード１２１の相互間から吹き出た空気が、仕切板内側端１５２まわりで、ファン軸方向ＤＲａの他方側へ向いた速度成分を有しながらファン軸方向ＤＲａに対し斜めファン径方向ＤＲｒの外側を向いて流れることを妨げにくい。そのため、そのブレード１２１の相互間から吹き出た外側空気が仕切板１５へ衝突することに起因した圧損を減らすことが可能である。
【００６７】
また、本実施形態によれば、ファンケーシング１４は、吹出空気通路１４２ａに対しファン径方向ＤＲｒの外側から面する外周壁１４３を有している。また、仕切板１５は、ファン径方向ＤＲｒの外側に設けられ外周壁１４３に接続した仕切板外側端１５１を有している。更に、仕切板１５は、その仕切板外側端１５１の位置では、ファン軸方向ＤＲａに対し直交する方向に沿って拡がる形状を成している。
【００６８】
従って、図４に示すように仕切板１５が仕切板外側端１５１の位置において斜めファン軸方向ＤＲａの他方側を向きつつファン径方向ＤＲｒの外側へ拡がる形状を成している第３比較例の送風機９３と比較して、次のようなことが言える。すなわち、本実施形態では、図４の第３比較例の送風機９３と比較して、仕切板１５に沿ってファンケーシング１４の外周壁１４３にまで到達する外側空気の向きが例えば図４の矢印Ｆｒのように急変することを抑制することができる。その結果、延いては、送風機１０の出力向上を図ることが可能である。
【００６９】
また、本実施形態によれば、図１および図２に示すように、送風機１０の縦断面において、仕切板内側部分１５４は仕切板内側端１５２を含み、ファン径方向ＤＲｒの外側ほどファン軸方向ＤＲａの他方側に位置するように直線的に延びて傾斜している。その一方で、仕切板外側部分１５３は、ファン軸方向ＤＲａに対し直交する方向へ拡がる形状を成している。すなわち、送風機１０の縦断面において、仕切板１５は、仕切板内側端１５２からファン径方向ＤＲｒの外側へ向かうほど仕切板１５がファン軸心ＣＬに対して成す角度がファン軸心ＣＬに直交する角度に段階的に近づくように形成されている。
【００７０】
従って、仕切板１５に沿って流れる空気の向きを、ファン軸心に直交しファン径方向ＤＲｒの外側を向いた向きへ近づくように緩やかに変化させることが可能である。その結果、例えば、遠心ファン１２から矢印Ｆｏのように吹き出た外側空気が仕切板１５へ衝突することに起因した圧損を減らすことが可能である。
【００７１】
また、本実施形態によれば、図２に示すように、ファン軸方向ＤＲａにおいて、分離板１３の内側端面１３２ａが有する他方側の端１３２ｂは、分離筒端面１８５ａが有する一方側の端１８５ｂよりも他方側に位置している。従って、内側端面１３２ａの他方側の端１３２ｂが逆に分離筒端面１８５ａの一方側の端１８５ｂよりも一方側に位置する場合と比較して、分離筒１８によって分離された２つの空気流れが分離筒１８と分離板１３との間の隙間を介して混ざり合うことが抑制される。
【００７２】
また、本実施形態によれば、図２に示すように、ファン軸方向ＤＲａにおいて、分離板１３の外側端面１３１ａが有する一方側の端１３１ｂは、仕切板端面１５２ａが有する他方側の端１５２ｂよりも一方側に位置している。従って、外側端面１３１ａの一方側の端１３１ｂが逆に仕切板端面１５２ａの他方側の端１５２ｂよりも他方側に位置する場合と比較して、分離板１３によって分離された２つの空気流れが仕切板１５と分離板１３との間の隙間を介して混ざり合うことが抑制される。
【００７３】
また、本実施形態によれば、図１の縦断面において、分離筒他端位置ＰＴａにおける分離筒内側面１８２の法線Ｌｎと主板案内面１２２ａとが交差する交点Ｐｎが主板案内面交点Ｐｎとして得られる。この場合、図１の縦断面において、分離筒他端位置ＰＴａで得られる分離筒内側面１８２の接線方向Ｄ１ｔは、主板案内面交点Ｐｎで得られる主板案内面１２２ａの接線方向Ｄ２ｔと同じ向きになっている。
【００７４】
ここで、分離筒内側面１８２と主板案内面１２２ａとの間に形成され内側空気が流れる流路においてファン軸心ＣＬを中心とした流路断面の周方向長さは下流側ほど長くなるので、その周方向長さの変化は下流側ほど流路断面積を拡大するように作用する。そして、仮に、分離筒内側面１８２の接線方向Ｄ１ｔが主板案内面１２２ａの接線方向Ｄ２ｔよりもファン軸心に直交する向きに近い向きとなっていることを想定した場合、図１の縦断面に表われる上記流路断面の高さの変化は、上記流路断面積の拡大を助長する。
【００７５】
これに対し、本実施形態では、図１の縦断面に表われる上記流路断面の高さの変化は、上記流路断面積の拡大を助長しにくい。従って、上記の想定した場合と比較して、内側空気が流れる上記流路の流路断面積の変化率を小さくすることができる。
【００７６】
本実施形態と比較される第４比較例の送風機９４が図５に示されている。その第４比較例の送風機９４では、ファン軸方向ＤＲａにおける位置が分離筒他方端１８５と分離板内側端１３２との間で一致し、且つ、仕切板内側端１５２と分離板外側端１３１との間でも一致している。
【００７７】
これに対し、本実施形態によれば、上記の第４比較例と比較して、図１および図２に示すように、分離板内側端１３２の位置は、分離筒他方端１８５の位置に対しファン軸方向ＤＲａの他方側へずれている。そして、送風機１０の縦断面において、分離筒他方端１８５と分離板内側端１３２との間をつなぐように直線的に補完した場合に、分離板１３は、分離筒１８から連続してつながるように配置されている。
【００７８】
従って、図５の第４比較例と比較して、本実施形態では、分離筒１８に沿って流れる外側空気と内側空気とを、分離板１３に沿うように円滑に流すことが可能である。そして、分離筒１８と分離板１３との間の隙間が、図１の矢印Ｆｏ、Ｆｉで示される外側空気および内側空気の流れにその隙間の位置で直交する方向に有する大きさを、最小（具体的には、零）にすることができる。そのため、例えば上記の第４比較例と比較して、その外側空気と内側空気とを分離しながら流す分離性を向上することが可能である。
【００７９】
また、本実施形態によれば、上記の第４比較例と比較して、図１および図２に示すように、仕切板内側端１５２の位置は、分離板外側端１３１の位置に対しファン軸方向ＤＲａの他方側へずれている。そして、送風機１０の縦断面において、分離板外側端１３１と仕切板内側端１５２との間をつなぐように直線的に補完した場合に、分離板１３は、仕切板１５から連続してつながるように配置されている。
【００８０】
従って、図５の第４比較例と比較して、本実施形態では、分離板１３に沿って流れる外側空気と内側空気とを、仕切板１５に沿うように円滑に流すことが可能である。そして、仕切板１５と分離板１３との間の隙間が、図１の矢印Ｆｏ、Ｆｉで示される外側空気および内側空気の流れにその隙間の位置で直交する方向に有する大きさを、最小（具体的には、零）にすることができる。そのため、例えば上記の第４比較例と比較して、その外側空気と内側空気とを分離しながら流す分離性を向上することが可能である。
【００８１】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態の説明においても同様である。
【００８２】
図６に示すように、本実施形態では、ファン軸方向ＤＲａにおいて分離筒１８と分離板１３と仕切板１５との相対的な位置関係が、第１実施形態と異なっている。
【００８３】
具体的には、ファン軸方向ＤＲａにおいて、分離板１３の内側端面１３２ａが有する一方側の端１３２ｃは、分離筒端面１８５ａが有する他方側の端１８５ｃよりも他方側に位置している。そして、ファン軸方向ＤＲａにおいて、分離板１３の外側端面１３１ａが有する他方側の端１３１ｃは、仕切板端面１５２ａが有する一方側の端１５２ｃよりも一方側に位置している。
【００８４】
従って、送風機１０の縦断面において、分離筒他方端１８５と分離板内側端１３２との間をつなぐように直線的に補完した場合には、分離板１３と分離筒１８との間に折れ曲がりが入り、分離板１３と分離筒１８は連続するようにはつながらない。このことは、分離板１３と仕切板１５との相対的な位置関係においても同様である。
【００８５】
以上説明したことを除き、本実施形態は第１実施形態と同様である。そして、本実施形態では、前述の第１実施形態と共通の構成から奏される効果を第１実施形態と同様に得ることができる。
【００８６】
また、本実施形態によれば、ファン軸方向ＤＲａにおいて、分離板１３の内側端面１３２ａが有する一方側の端１３２ｃは、分離筒端面１８５ａが有する他方側の端１８５ｃよりも他方側に位置している。従って、外側空気が分離板１３に沿わされつつ矢印Ｆａのように流れる際に、外側空気がファン軸方向ＤＲａの他方側へ矢印Ｆｉｔのように流れようとする慣性を利用し、例えば図５の第４比較例と比較して送風機１０の出力向上を図ることが可能である。
【００８７】
（第３実施形態）
次に、第３実施形態について説明する。本実施形態では、前述の第１実施形態と異なる点を主として説明する。
【００８８】
図７に示すように、送風機１０の縦断面において、分離筒他方端１８５と分離板内側端１３２との間をつなぐように直線的に補完した場合に、分離板１３は、分離筒１８から連続してつながるように配置されている。そして、その送風機１０の縦断面において、分離板外側端１３１と仕切板内側端１５２との間をつなぐように直線的に補完した場合に、分離板１３は、仕切板１５から連続してつながるように配置されている。この点では、本実施形態は第１実施形態と同様である。
【００８９】
しかし、図７に示すように、本実施形態では、分離板１３および仕切板１５の形状が、第１実施形態と異なっている。なお、図７の矢印Ｆ１ｏ、Ｆ２ｏは、外側空気の流れを示している。
【００９０】
具体的には、送風機１０の縦断面において、本実施形態の分離板１３は直線的には延びていない。その縦断面において、分離板１３は、分離板内側端１３２から分離板外側端１３１へ向かうほどファン軸心ＣＬに直交する向きに近い角度でファン径方向ＤＲｒに拡がるように湾曲している。別言すれば、送風機１０の縦断面において、分離板内側端１３２から分離板外側端１３１へ向かうほど分離板１３の接線方向がファン軸心ＣＬに直交する向きに近づくように、分離板１３は湾曲している。
【００９１】
そして、分離板１３は、分離板内側端１３２の位置では、ファン径方向ＤＲｒの内側を向きつつ斜めファン軸方向ＤＲａの一方側を向いて延びている。また、分離板１３は、分離板外側端１３１の位置では、ファン軸心ＣＬに直交する向きを向いて延びている。
【００９２】
従って、送風機１０の縦断面に表される分離板１３の曲率半径Ｒｆの中心Ｃｒｆは、分離板１３に対しファン軸方向ＤＲａの一方側に位置している。また、その縦断面に表される分離板１３は、例えばファン径方向ＤＲｒの全幅にわたって湾曲している。
【００９３】
本実施形態の仕切板１５は、送風機１０の縦断面において折れ曲がるようには形成されていない。図７に示すように、送風機１０の縦断面において仕切板１５は、仕切板内側端１５２から仕切板外側端１５１まで、ファン軸心ＣＬ（図１参照）に直交してファン径方向ＤＲｒに直線的に延びている。
【００９４】
以上説明したことを除き、本実施形態は第１実施形態と同様である。そして、本実施形態では、前述の第１実施形態と共通の構成から奏される効果を第１実施形態と同様に得ることができる。
【００９５】
また、本実施形態によれば、送風機１０の縦断面において、分離板１３は、分離板内側端１３２から分離板外側端１３１へ向かうほどファン軸心ＣＬに直交する向きに近い角度でファン径方向ＤＲｒに拡がるように湾曲している。従って、分離筒１８に沿って流れファン軸方向ＤＲａの他方側へ向いた速度成分を有する外側空気が分離板１３へ衝突することに起因した圧損を減らすことが可能である。そして、外側空気を分離板１３に沿わせることにより、その外側空気が有するファン軸方向ＤＲａの他方側へ向いた速度成分を減少させつつ、ファン径方向ＤＲｒの外側向きに外側空気を案内することが可能である。
【００９６】
なお、本実施形態は第１実施形態に基づいた変形例であるが、本実施形態を前述の第２実施形態と組み合わせることも可能である。
【００９７】
（第４実施形態）
次に、第４実施形態について説明する。本実施形態では、前述の第３実施形態と異なる点を主として説明する。
【００９８】
図８に示すように、送風機１０の縦断面において、分離筒他方端１８５と分離板内側端１３２との間をつなぐように直線的に補完した場合に、分離板１３は、分離筒１８から連続してつながるように配置されている。この点では、本実施形態は第３実施形態と同様である。
【００９９】
しかし、本実施形態では、送風機１０の縦断面において分離板外側端１３１と仕切板内側端１５２との間をつなぐように直線的に補完した場合に、その補完した補完部分１３５は分離板１３に対し連続してつながるが、仕切板１５に対しては折れ曲がってつながる。すなわち、そのように補完した場合、分離板１３と仕切板１５は連続するようにはつながらない。この点では、本実施形態は第３実施形態と異なっている。
【０１００】
そして、本実施形態では、分離板１３の形状が第３実施形態と異なっており、本実施形態の分離板１３は、送風機１０の縦断面において湾曲していない。
【０１０１】
具体的に本実施形態では、送風機１０の縦断面において、分離板１３は、分離板内側端１３２から分離板外側端１３１へ向かうほど分離板１３がファン軸心ＣＬに対して成す角度がファン軸心ＣＬに直交する角度に段階的に近づくように形成されている。
【０１０２】
詳細には、分離板１３は、分離板外側部分１３３と、その分離板外側部分１３３に対するファン径方向ＤＲｒの内側に配置され分離板外側部分１３３に直列に連結された分離板内側部分１３４とを有している。分離板外側部分１３３には分離板外側端１３１が含まれ、分離板内側部分１３４には分離板内側端１３２が含まれる。
【０１０３】
そして、送風機１０の縦断面において、分離板外側部分１３３と分離板内側部分１３４は何れも、ファン径方向ＤＲｒの外側ほどファン軸方向ＤＲａの他方側に位置するように直線的に延びている。但し、その縦断面において分離板外側部分１３３がファン軸心ＣＬに対して成す角度は、分離板内側部分１３４がファン軸心ＣＬに対して成す角度よりも、ファン軸心ＣＬに直交する角度に近い角度となっている。そのため、分離板内側部分１３４は、分離板内側部分１３４と分離板外側部分１３３との境目で折れ曲がるようにして分離板外側部分１３３へ連結している。
【０１０４】
以上説明したことを除き、本実施形態は第３実施形態と同様である。そして、本実施形態では、前述の第３実施形態と共通の構成から奏される効果を第３実施形態と同様に得ることができる。
【０１０５】
また、本実施形態によれば、送風機１０の縦断面において、分離板１３は、分離板内側端１３２から分離板外側端１３１へ向かうほど分離板１３がファン軸心ＣＬに対して成す角度がファン軸心ＣＬに直交する角度に段階的に近づくように形成されている。従って、分離筒１８に沿って流れファン軸方向ＤＲａの他方側へ向いた速度成分を有する外側空気が分離板１３へ衝突することに起因した圧損を減らすことが可能である。そして、外側空気を分離板１３に沿わせることにより、その外側空気が有するファン軸方向ＤＲａの他方側へ向いた速度成分を減少させつつ、ファン径方向ＤＲｒの外側向きに外側空気を案内することが可能である。
【０１０６】
（第５実施形態）
次に、第５実施形態について説明する。本実施形態では、前述の第１実施形態と異なる点を主として説明する。
【０１０７】
図９に示すように、送風機１０の縦断面において、分離筒他方端１８５と分離板内側端１３２との間をつなぐように直線的に補完した場合に、分離板１３は、分離筒１８から連続してつながるように配置されている。そして、その送風機１０の縦断面において、分離板外側端１３１と仕切板内側端１５２との間をつなぐように直線的に補完した場合に、分離板１３は、仕切板１５から連続してつながるように配置されている。この点では、本実施形態は第１実施形態と同様である。
【０１０８】
しかし、図９に示すように、本実施形態では、仕切板１５の形状が、第１実施形態と異なっている。
【０１０９】
具体的には、送風機１０の縦断面において、本実施形態の仕切板１５は、仕切板内側端１５２からファン径方向ＤＲｒの外側へ向かうほどファン軸心ＣＬに直交する向きに近い角度でファン径方向ＤＲｒに拡がるように湾曲している。別言すれば、送風機１０の縦断面において、仕切板内側端１５２からファン径方向ＤＲｒの外側へ向かうほど仕切板１５の接線方向がファン軸心ＣＬに直交する向きに近づくように、仕切板１５は湾曲している。
【０１１０】
詳細に言うと、送風機１０の縦断面において仕切板外側部分１５３と仕切板内側部分１５４は、それらの境目で折れ曲がることなく互いに連続するように連結されている。そして、仕切板外側部分１５３は、その全長にわたって、ファン軸心ＣＬ（図１参照）に直交してファン径方向ＤＲｒに直線的に延びている。
【０１１１】
その一方で、仕切板内側部分１５４は、ファン径方向ＤＲｒの外側ほどファン軸心ＣＬに直交する向きに近い角度でファン径方向ＤＲｒに拡がるように湾曲している。そして、仕切板内側部分１５４は、仕切板内側端１５２の位置では、ファン径方向ＤＲｒの内側を向きつつ斜めファン軸方向ＤＲａの一方側を向いて延びている。また、仕切板内側部分１５４は、仕切板外側部分１５３に接続する位置では、ファン軸心ＣＬに直交する向きを向いて延びている。
【０１１２】
従って、送風機１０の縦断面に表される仕切板内側部分１５４の曲率半径Ｒｄの中心Ｃｒｄは、仕切板１５に対しファン軸方向ＤＲａの一方側に位置している。
【０１１３】
以上説明したことを除き、本実施形態は第１実施形態と同様である。そして、本実施形態では、前述の第１実施形態と共通の構成から奏される効果を第１実施形態と同様に得ることができる。
【０１１４】
また、本実施形態によれば、送風機１０の縦断面において、仕切板１５は、仕切板内側端１５２からファン径方向ＤＲｒの外側へ向かうほどファン軸心ＣＬに直交する向きに近い角度でファン径方向ＤＲｒに拡がるように湾曲している。従って、仕切板１５に沿って流れる空気の向きを、ファン軸心に直交しファン径方向ＤＲｒの外側を向いた向きへ近づくように緩やかに変化させることが可能である。その結果、例えば、遠心ファン１２から矢印Ｆ２ｏのように吹き出た外側空気が仕切板１５へ衝突することに起因した圧損を減らすことが可能である。
【０１１５】
なお、本実施形態は第１実施形態に基づいた変形例であるが、本実施形態を前述の第２〜第４実施形態のうちの何れかと組み合わせることも可能である。
【０１１６】
（第６実施形態）
次に、第６実施形態について説明する。本実施形態では、前述の第１実施形態と異なる点を主として説明する。
【０１１７】
図１０に示すように、送風機１０の縦断面において、仕切板１５は、仕切板内側端１５２からファン径方向ＤＲｒの外側へ向かうほど仕切板１５がファン軸心ＣＬに対して成す角度がファン軸心ＣＬに直交する角度に段階的に近づくように形成されている。この点では、本実施形態は第１実施形態と同様である。
【０１１８】
しかし、仕切板１５が折れ曲がっている折曲り箇所は、第１実施形態では図２に示すように１箇所であるのに対し、本実施形態では図１０に示すように２箇所である。すなわち、本実施形態の仕切板１５は、折曲り箇所Ｐ１、Ｐ２を有する。
【０１１９】
そのため、本実施形態では図１０に示すように、仕切板１５は、仕切板外側部分１５３と仕切板内側部分１５４とに加え、その仕切板外側部分１５３と仕切板内側部分１５４との間に設けられた仕切板中間部分１５５を有している。そして、その仕切板中間部分１５５は折曲り箇所Ｐ１にて仕切板外側部分１５３に連結し、折曲り箇所Ｐ２にて仕切板内側部分１５４に連結している。
【０１２０】
その仕切板中間部分１５５は、仕切板内側端１５２に対しファン軸方向ＤＲａの他方側に位置する部分に含まれる。
【０１２１】
以上説明したことを除き、本実施形態は第１実施形態と同様である。そして、本実施形態では、前述の第１実施形態と共通の構成から奏される効果を第１実施形態と同様に得ることができる。
【０１２２】
（第７実施形態）
次に、第７実施形態について説明する。本実施形態では、前述の第３実施形態と異なる点を主として説明する。
【０１２３】
図１１に示すように、本実施形態では、送風機１０の縦断面において分離板１３は、湾曲した形状を成している。この点では本実施形態は第３実施形態と同様である。しかし、本実施形態では、送風機１０の縦断面において分離板１３は、ファン径方向ＤＲｒの全幅にわたって湾曲してはいない。この点において、本実施形態は第３実施形態と異なっている。
【０１２４】
具体的には図１１に示すように、送風機１０の縦断面において分離板１３は、直線的に延びた２箇所の直線部分１３ａ、１３ｂと、その２箇所の直線部分１３ａ、１３ｂの間に設けられ湾曲した湾曲部分１３ｃとを含んで構成されている。そして、その２箇所の直線部分１３ａ、１３ｂは、その湾曲部分１３ｃを介して連続的につながっている。
【０１２５】
以上説明したことを除き、本実施形態は第３実施形態と同様である。そして、本実施形態では、前述の第３実施形態と共通の構成から奏される効果を第３実施形態と同様に得ることができる。
【０１２６】
（第８実施形態）
次に、第８実施形態について説明する。本実施形態では、前述の第４実施形態と異なる点を主として説明する。
【０１２７】
第４実施形態では図８に示すように、送風機１０の縦断面において、分離板１３は、分離板内側端１３２から分離板外側端１３１へ向かうほど分離板１３がファン軸心ＣＬに対して成す角度がファン軸心ＣＬに直交する角度に段階的に近づくように形成されている。これに対し、図１２に示す本実施形態の分離板１３は、そのようには形成されていない。
【０１２８】
具体的には図１２に示すように、本実施形態の分離板１３は、第１実施形態の分離板１３と同様に、送風機１０の縦断面において分離板内側端１３２から分離板外側端１３１まで直線的に延びている。
【０１２９】
以上説明したことを除き、本実施形態は第４実施形態と同様である。そして、本実施形態では、前述の第４実施形態と共通の構成から奏される効果を第４実施形態と同様に得ることができる。
【０１３０】
（第９実施形態）
次に、第９実施形態について説明する。本実施形態では、前述の第１実施形態と異なる点を主として説明する。
【０１３１】
図１３に示すように、本実施形態では、仕切板１５が第１実施形態と異なっている。
【０１３２】
具体的に、仕切板内側部分１５４は、ファン径方向ＤＲｒの外側ほどファン軸方向ＤＲａの他方側に位置するように延びている。この点では、本実施形態の仕切板１５は第１実施形態の仕切板１５と同様である。
【０１３３】
但し、本実施形態では第１実施形態と異なり、仕切板外側部分１５３は、ファン径方向ＤＲｒの外側ほどファン軸方向ＤＲａの一方側に位置するように延びている。従って、仕切板１５は、仕切板外側部分１５３と仕切板内側部分１５４との境目部分１５６を有し、その境目部分１５６が、仕切板１５のうち、ファン軸方向ＤＲａの最も他方側に位置する部分となっている。当然、その境目部分１５６は、仕切板内側端１５２に対しファン軸方向ＤＲａの他方側に位置する部分に含まれる。
【０１３４】
以上説明したことを除き、本実施形態は第１実施形態と同様である。そして、本実施形態では、前述の第１実施形態と共通の構成から奏される効果を第１実施形態と同様に得ることができる。
【０１３５】
なお、本実施形態は第１実施形態に基づいた変形例であるが、本実施形態を前述の第２〜第８実施形態のうちの何れかと組み合わせることも可能である。
【０１３６】
（第１０実施形態）
次に、第１０実施形態について説明する。本実施形態では、前述の第１実施形態と異なる点を主として説明する。
【０１３７】
図１４に示すように、本実施形態では、主板案内面１２２ａの向きが第１実施形態と異なっている。
【０１３８】
具体的に、図１４に示す送風機１０の縦断面において、分離筒他端位置ＰＴａにおける分離筒内側面１８２の法線Ｌｎと主板案内面１２２ａとが交差する交点Ｐｎが主板案内面交点Ｐｎとして得られる。この場合、送風機１０の縦断面において、主板案内面交点Ｐｎで得られる主板案内面１２２ａの接線方向Ｄ２ｔは、分離筒他端位置ＰＴａで得られる分離筒内側面１８２の接線方向Ｄ１ｔよりもファン軸心ＣＬに直交する向きに近い向きとなっている。
【０１３９】
これにより、本実施形態でも第１実施形態と同様に、分離筒内側面１８２と主板案内面１２２ａとの間に形成され内側空気が流れる流路の流路断面積の変化率を小さくすることができる。なお、図１４には、見やすい図示とするために、上記分離筒内側面１８２の接線方向Ｄ１ｔと平行で主板案内面交点Ｐｎを通る二点鎖線Ｌ１ｔが示されている。
【０１４０】
以上説明したことを除き、本実施形態は第１実施形態と同様である。そして、本実施形態では、前述の第１実施形態と共通の構成から奏される効果を第１実施形態と同様に得ることができる。
【０１４１】
なお、本実施形態は第１実施形態に基づいた変形例であるが、本実施形態を前述の第２〜第９実施形態のうちの何れかと組み合わせることも可能である。
【０１４２】
（第１１実施形態）
次に、第１１実施形態について説明する。本実施形態では、前述の第１実施形態と異なる点を主として説明するが、その前に、先ず、第１実施形態と同様の点についても説明する。
【０１４３】
図１５および図１６に示すように、複数のブレード１２１はそれぞれ、第１実施形態と同様に、ブレード一方側部分１２１ｃとブレード他方側部分１２１ｄとを有している。本実施形態の説明では、そのブレード一方側部分１２１ｃを一方側ブレード１２１ｃとも称し、ブレード他方側部分１２１ｄを他方側ブレード１２１ｄとも称する。
【０１４４】
また、第１実施形態と同様に、吸入口１４ａは、分離筒１８の一方側部分１８３に対するファン径方向ＤＲｒの外側に形成された筒外側吸入口１４ｂと、その一方側部分１８３に対するファン径方向ＤＲｒの内側に形成された筒内側吸入口１４ｃとを含んでいる。筒外側吸入口１４ｂは、筒内側吸入口１４ｃの外周側を取り巻くように形成された円環状の開口となっている。
【０１４５】
また、第１実施形態と同様に、複数の一方側ブレード１２１ｃは、その複数の一方側ブレード１２１ｃの相互間における空気流れの上流側の端に位置する一方側ブレード前縁１２１ｅをそれぞれ有している。そして、複数の一方側ブレード１２１ｃは、その複数の一方側ブレード１２１ｃの相互間における空気流れの下流側の端に位置する一方側ブレード後縁１２１ｆをそれぞれ有している。すなわち、その一方側ブレード前縁１２１ｅは、一方側ブレード１２１ｃの相互間に形成された空気通路の入口の一部を構成するものであり、一方側ブレード後縁１２１ｆは、その空気通路の出口の一部を構成するものである。
【０１４６】
これと同様に、複数の他方側ブレード１２１ｄは、その複数の他方側ブレード１２１ｄの相互間における空気流れの上流側の端に位置する他方側ブレード前縁１２１ｇをそれぞれ有している。そして、複数の他方側ブレード１２１ｄは、その複数の他方側ブレード１２１ｄの相互間における空気流れの下流側の端に位置する他方側ブレード後縁１２１ｈをそれぞれ有している。すなわち、その他方側ブレード前縁１２１ｇは、他方側ブレード１２１ｄの相互間に形成された空気通路の入口の一部を構成するものであり、他方側ブレード後縁１２１ｈは、その空気通路の出口の一部を構成するものである。
【０１４７】
また、第１実施形態と同様に、ファン軸心ＣＬを中心とした複数の他方側ブレード１２１ｄの内径寸法ＤＩｂは、ファン軸心ＣＬを中心とした複数の一方側ブレード１２１ｃの内径寸法ＤＩａよりも小さい。その他方側ブレード１２１ｄの内径寸法ＤＩｂとは、詳しく言うと、ファン軸心ＣＬを中心とし且つ複数の他方側ブレード１２１ｄに対しその径方向内側にて接する仮想円筒面の直径である。別言すれば、その他方側ブレード１２１ｄの内径寸法ＤＩｂとは、ファン軸心ＣＬを中心とし且つ複数の他方側ブレード１２１ｄに対し内接する仮想円筒面の直径である。一方側ブレード１２１ｃの内径寸法ＤＩａについても、これと同様に説明できる。
【０１４８】
このように本実施形態でも第１実施形態と同様の構成はあるが、本実施形態では、ブレード１２１の形状および分離板１３の形状が第１実施形態と異なっている。
【０１４９】
具体的には、ファン軸心ＣＬを中心とした複数の一方側ブレード１２１ｃの外径寸法ＤＯａは、ファン軸心ＣＬを中心とした複数の他方側ブレード１２１ｄの外径寸法ＤＯｂよりも小さい。その他方側ブレード１２１ｄの外径寸法ＤＯｂとは、詳しく言うと、ファン軸心ＣＬを中心とし且つ複数の他方側ブレード１２１ｄに対しその径方向外側にて接する仮想円筒面の直径である。別言すれば、その他方側ブレード１２１ｄの外径寸法ＤＯｂとは、ファン軸心ＣＬを中心とし且つ複数の他方側ブレード１２１ｄに対し外接する仮想円筒面の直径である。一方側ブレード１２１ｃの外径寸法ＤＯａについても、これと同様に説明できる。
【０１５０】
上述した内径寸法ＤＩｂ、ＤＩａの差および外径寸法ＤＯｂ、ＤＯａの差から判るように、ファン径方向ＤＲｒにおける複数の他方側ブレード１２１ｄの翼長さＬＲｂは、ファン径方向ＤＲｒにおける複数の一方側ブレード１２１ｃの翼長さＬＲａに比して長い。その一方側ブレード１２１ｃの翼長さＬＲａとは、詳しく言えば、ファン径方向ＤＲｒにおいて一方側ブレード１２１ｃが占める径方向幅であり、他方側ブレード１２１ｄの翼長さＬＲｂとは、ファン径方向ＤＲｒにおいて他方側ブレード１２１ｄが占める径方向幅である。従って、一方側ブレード１２１ｃの翼長さＬＲａは、図１５および図１６に示すように、「ＬＲａ＝（ＤＯａ−ＤＩａ）／２」という式から得られる。また、他方側ブレード１２１ｄの翼長さＬＲｂは、「ＬＲｂ＝（ＤＯｂ−ＤＩｂ）／２」という式から得られる。
【０１５１】
また、図１６に示すように、ファン軸方向ＤＲａにおいて、他方側ブレード前縁１２１ｇの高さＨＦｂは一方側ブレード前縁１２１ｅの高さＨＦａよりも小さい。それと共に、ファン軸方向ＤＲａにおいて、他方側ブレード後縁１２１ｈの高さＨＢｂは一方側ブレード後縁１２１ｆの高さＨＢａよりも小さい。要するに、他方側ブレード１２１ｄは、一方側ブレード１２１ｃと比較して、ファン径方向ＤＲｒに長く且つファン軸方向ＤＲａには短い翼形状を成している。例えば、本実施形態の一方側ブレード１２１ｃの翼型はシロッコファンの翼型であり、他方側ブレード１２１ｄの翼型はターボファンの翼型である。
【０１５２】
また、分離板１３は、一方側ブレード１２１ｃよりもファン径方向ＤＲｒの内側にまで延びている。それと共に、分離板１３は、一方側ブレード１２１ｃよりもファン径方向ＤＲｒの外側にまで延びている。
【０１５３】
以上説明したことを除き、本実施形態は第１実施形態と同様である。そして、本実施形態では、前述の第１実施形態と共通の構成から奏される効果を第１実施形態と同様に得ることができる。
【０１５４】
また、本実施形態によれば、図１５および図１６に示すように、複数のブレード１２１はそれぞれ、一方側ブレード１２１ｃと他方側ブレード１２１ｄとを有している。一方側ブレード１２１ｃは、ブレード１２１のうち分離板１３に対するファン軸方向ＤＲａの一方側の部分であり、他方側ブレード１２１ｄは、ブレード１２１のうち分離板１３に対するファン軸方向ＤＲａの他方側の部分である。そして、分離板１３は、一方側ブレード１２１ｃよりもファン径方向ＤＲｒの内側にまで延びている。これにより、分離板１３がそうなっていない場合と比較して、分離筒１８と分離板１３との間の隙間を拡げることなく、一方側ブレード１２１ｃと分離筒１８との間の空間をファン径方向ＤＲｒに拡げることができる。従って、分離筒１８の径方向外側を通って一方側ブレード１２１ｃの相互間へ吸い込まれる空気に生じる圧損を低減することが可能である。
【０１５５】
また、本実施形態によれば、ファン軸心ＣＬを中心とした複数の他方側ブレード１２１ｄの内径寸法ＤＩｂは、ファン軸心ＣＬを中心とした複数の一方側ブレード１２１ｃの内径寸法ＤＩａよりも小さい。従って、それらの内径寸法ＤＩａ、ＤＩｂの大小関係がそうなっていない場合と比較して、一方側ブレード１２１ｃに対する径方向内側において吸込み流路面積を稼ぎ易く、遠心ファン１２に吸い込まれる空気に生じる圧損の低減を図ることが可能である。
【０１５６】
また、本実施形態によれば、他方側ブレード１２１ｄの内径寸法ＤＩｂは一方側ブレード１２１ｃの内径寸法ＤＩａよりも小さく、且つ、他方側ブレード１２１ｄの翼長さＬＲｂは一方側ブレード１２１ｃの翼長さＬＲａに比して長い。これにより、特にデメリットも無く、ファン軸方向ＤＲａにおける遠心ファン１２の高さである翼車高さ（別言すれば、ファン高さ）を低減することが可能である。
【０１５７】
（他の実施形態）
（１）上述の第１〜第１０実施形態において、例えば図２に示すように、分離筒端面１８５ａはファン軸方向ＤＲａに平行な面となっているが、ファン軸方向ＤＲａに対し傾いた面であっても差し支えない。このことは、分離板１３の外側端面１３１ａ、分離板１３の内側端面１３２ａ、および仕切板端面１５２ａについても同様である。
【０１５８】
（２）上述の第１〜第１０実施形態では例えば図１に示すように、ファン径方向ＤＲｒにおいて分離板１３の幅は、ブレード１２１の幅と同じになっているが、これに限られるわけではない。例えば分離板１３は、ブレード１２１に対して、ファン径方向ＤＲｒの外側または内側にはみ出していても差し支えない。また、ファン径方向ＤＲｒにおいて分離板１３の幅は、ブレード１２１の幅に対し狭くなっていても差し支えない。
【０１５９】
（３）上述の各実施形態において、遠心式送風機１０は、内外気二層流式の車両用空調装置に適用されるが、遠心式送風機１０の用途は、それに限定されるわけではない。例えば遠心式送風機１０は、車両用空調装置以外の用途に用いられても差し支えない。
【０１６０】
（４）上述の各実施形態では例えば図１に示すように、仕切板１５の板厚、分離板１３の板厚、および分離筒１８の板厚は、例えば同じまたは略同じになっているが、互いに異なっていても差し支えない。
【０１６１】
（５）上述の第１〜第１０実施形態では例えば図１に示すように、空気通路形成部１４２と仕切板１５とは、一体に樹脂成形された一体成形品として構成されているが、これは一例である。空気通路形成部１４２と仕切板１５とが別々の部材として成形された上で、空気通路形成部１４２と仕切板１５とが組み立てられることによりファンケーシング１４が構成されていても差し支えない。また、空気通路形成部１４２は、別々に成形された複数の部材から構成されていても差し支えない。仕切板１５についても同様である。
【０１６２】
（６）上述の第１〜第１０実施形態では例えば図１に示すように、ブレード１２１の翼型は、ブレード一方側部分１２１ｃでもブレード他方側部分１２１ｄでも、シロッコファンの翼型であるが、これに限らない。
【０１６３】
例えば、ブレード一方側部分１２１ｃの翼型がシロッコファンの翼型であり、ブレード他方側部分１２１ｄの翼型がラジアルファンの翼型であってもよい。逆に、ブレード一方側部分１２１ｃの翼型がラジアルファンの翼型であり、ブレード他方側部分１２１ｄの翼型がシロッコファンの翼型であってもよい。また、ブレード一方側部分１２１ｃの翼型がシロッコファンの翼型であり、ブレード他方側部分１２１ｄの翼型がターボファンの翼型であってもよい。逆に、ブレード一方側部分１２１ｃの翼型がターボファンの翼型であり、ブレード他方側部分１２１ｄの翼型がシロッコファンの翼型であってもよい。また、ブレード一方側部分１２１ｃの翼型とブレード他方側部分１２１ｄの翼型とが両方ともラジアルファンの翼型であってもよい。また、ブレード一方側部分１２１ｃの翼型とブレード他方側部分１２１ｄの翼型とが両方ともターボファンの翼型であってもよい。要するに、ブレード一方側部分１２１ｃの翼型とブレード他方側部分１２１ｄの翼型は互いに同じであってもよいし、互いに異なっていてもよい。なお、ブレード一方側部分１２１ｃの枚数とブレード他方側部分１２１ｄの枚数は互いに同じであることもあれば、互いに異なることもある。
【０１６４】
（７）上述の第１実施形態では図２に示すように、送風機１０の縦断面において、分離板内側端１３２の位置における分離板１３の延伸方向と分離筒他方端１８５の位置における分離筒１８の延伸方向とが互いに同じになっているが、これは一例である。例えば、その両方の延伸方向が互いに異なっていることも想定できる。このことは、第２実施形態以降の実施形態でも同様である。
【０１６５】
また、分離板外側端１３１の位置における分離板１３の延伸方向と仕切板内側端１５２の位置における仕切板１５の延伸方向とが互いに同じになっているが、これも一例である。例えば、その両方の延伸方向が互いに異なっていることも想定できる。このことは、第２実施形態以降の実施形態でも同様である。なお、分離板１３、仕切板１５、および分離筒１８の上記延伸方向はそれぞれ、所定の基準（例えば、ファン軸心ＣＬ）に対する勾配と言い換えられてもよい。
【０１６６】
（８）上述の各実施形態では例えば図１に示すように、ブレード１２１の前縁のうち分離板１３に対するファン軸方向ＤＲａの他方側の部分は、ファン軸心ＣＬに対して傾斜しているが、ブレード１２１の前縁形状に限定はない。例えば、ブレード１２１の前縁が、一方端１２１ａから他方端１２１ｂまでファン軸心ＣＬに沿って延びていても差し支えない。また、ブレード１２１の前縁のうち分離板１３に対するファン軸方向ＤＲａの一方側の部分が、ファン軸心ＣＬに対して傾斜していても差し支えない。
【０１６７】
（９）なお、本発明は、上述の実施形態に限定されることなく、種々変形して実施することができる。また、上記各実施形態は、互いに無関係なものではなく、組み合わせが明らかに不可な場合を除き、適宜組み合わせが可能である。
【０１６８】
また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【０１６９】
また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１７０】
（まとめ）
上記各実施形態の一部または全部で示された第１の観点によれば、遠心式送風機は、ファン軸心の軸方向の一方側から吸入した空気を径方向の外側に向けて吹き出す遠心ファンと、ファンケーシングと、分離筒とを備える。そして、分離筒は、上記軸方向の他方側ほど遠心ファンの径方向へ拡がっており、上記軸方向の他方側の端の位置である分離筒他端位置では、上記軸方向に対し斜め上記径方向の外側を向いて拡がった形状を成している。
【０１７１】
また、第２の観点によれば、分離板は、上記径方向の外側に設けられた分離板外側端と、上記径方向の内側に設けられた分離板内側端とを有する。また、分離板内側端は、分離板外側端に対して上記軸方向の一方側に位置している。従って、分離筒に沿って流れ上記軸方向の他方側へ向いた速度成分を有する外側空気が分離板へ衝突することに起因した圧損を減らすことが可能である。
【０１７２】
また、第３の観点によれば、ファン軸心を含む平面で遠心ファンを切断した縦断面において、分離板は、分離板内側端から分離板外側端へ向かうほどファン軸心に直交する向きに近い角度で上記径方向に拡がるように湾曲している。従って、分離筒に沿って流れ上記軸方向の他方側へ向いた速度成分を有する外側空気が分離板へ衝突することに起因した圧損を減らすことが可能である。そして、外側空気を分離板に沿わせることにより、その外側空気が有する上記軸方向の他方側へ向いた速度成分を減少させつつ、上記径方向の外側向きに外側空気を案内することが可能である。
【０１７３】
また、第４の観点によれば、ファン軸心を含む平面で遠心ファンを切断した縦断面において、分離板は、分離板内側端から分離板外側端へ向かうほど分離板がファン軸心に対して成す角度がファン軸心に直交する角度に段階的に近づくように形成されている。このようにしても、上記の第３の観点による作用効果と同様の作用効果を得ることができる。
【０１７４】
また、第５の観点によれば、仕切板は、上記径方向の内側に設けられた仕切板内側端と、その仕切板内側端に対し上記軸方向の他方側に位置する部分とを有している。従って、複数のブレードの相互間から吹き出た空気が、仕切板内側端まわりで、上記軸方向の他方側へ向いた速度成分を有しながら上記軸方向に対し斜め径方向の外側を向いて流れることを妨げにくい。そのため、そのブレード相互間から吹き出た外側空気が仕切板へ衝突することに起因した圧損を減らすことが可能である。
【０１７５】
また、第６の観点によれば、ファンケーシングは、吹出空気通路に対し上記径方向の外側から面する外周壁を有する。また、仕切板は、上記径方向の外側に設けられ外周壁に接続した仕切板外側端を有し、その仕切板外側端の位置では、上記軸方向に対し直交する方向に沿って拡がる形状を成している。従って、仕切板が例えば仕切板外側端の位置において斜め上記軸方向の他方側を向きつつ径方向の外側へ拡がる形状を成している場合と比較して、仕切板に沿ってファンケーシングの外周壁にまで到達する外側空気の向きが急変することを抑制することができる。その結果、延いては、遠心式送風機の出力向上を図ることが可能である。
【０１７６】
また、第７の観点によれば、ファン軸心を含む平面で遠心ファンを切断した縦断面において、仕切板は、仕切板内側端から上記径方向の外側へ向かうほどファン軸心に直交する向きに近い角度で上記径方向に拡がるように湾曲している。従って、仕切板に沿って流れる空気の向きを、ファン軸心に直交し径方向の外側を向いた向きへ近づくように緩やかに変化させることが可能である。その結果、例えば、遠心ファンから吹き出た外側空気が仕切板へ衝突することに起因した圧損を減らすことが可能である。
【０１７７】
また、第８の観点によれば、ファン軸心を含む平面で遠心ファンを切断した縦断面において、仕切板は、仕切板内側端から上記径方向の外側へ向かうほど仕切板がファン軸心に対して成す角度がファン軸心に直交する角度に段階的に近づくように形成されている。このようにしても、上記の第７の観点による作用効果と同様の作用効果を得ることができる。
【０１７８】
また、第９の観点によれば、分離板は、上記径方向の内側の端の位置で、上記軸方向の一方側から他方側へ延伸する内側端面を有する。また、分離筒は、分離筒他端位置で、上記軸方向の一方側から他方側へ延伸する分離筒端面を有する。そして、上記軸方向において、内側端面の他方側の端は、分離筒端面の一方側の端よりも他方側に位置している。従って、その内側端面の他方側の端が逆に分離筒端面の一方側の端よりも一方側に位置する場合と比較して、分離筒によって分離された２つの空気流れが分離筒と分離板との間の隙間を介して混ざり合うことを抑制することができる。
【０１７９】
また、第１０の観点によれば、分離板は、上記径方向の外側の端の位置で、上記軸方向の一方側から他方側へ延伸する外側端面を有する。また、仕切板は、上記径方向の内側の端の位置で、上記軸方向の一方側から他方側へ延伸する仕切板端面を有する。そして、上記軸方向において、外側端面の一方側の端は、仕切板端面の他方側の端よりも一方側に位置している。従って、その外側端面の一方側の端が逆に仕切板端面の他方側の端よりも他方側に位置する場合と比較して、分離板によって分離された２つの空気流れが仕切板と分離板との間の隙間を介して混ざり合うことを抑制することができる。
【０１８０】
また、第１１の観点によれば、遠心ファンは、分離筒に対し上記軸方向の他方側に配置され上記径方向に拡がる板状を成す主板を有する。その主板は、上記軸方向の一方側に、内側空気が上記径方向の外側に向けて流れるようにその内側空気を案内する主板案内面を有する。また、分離筒は、上記径方向の内側を向いた内向き面を含んで分離筒他端位置まで延びる分離筒内側面を有する。主板案内面は、上記径方向の外側ほど上記軸方向の他方側に位置するように延びている。ファン軸心を含む平面で遠心ファンを切断した縦断面において、分離筒他端位置における分離筒内側面の法線と主板案内面とが交差する交点で得られる主板案内面の接線方向は、分離筒他端位置で得られる分離筒内側面の接線方向と同じ向きとなっている。または、上記縦断面において、上記主板案内面の接線方向は、上記分離筒内側面の接線方向よりもファン軸心に直交する向きに近い向きとなっている。
【０１８１】
ここで、分離筒内側面と主板案内面との間に形成され内側空気が流れる流路においてファン軸心を中心とした流路断面の周方向長さは下流側ほど長くなるので、その周方向長さの変化は下流側ほど流路断面積を拡大するように作用する。そして、仮に、上記分離筒内側面の接線方向の方が上記主板案内面の接線方向よりもファン軸心に直交する向きに近い向きとなっていることを想定した場合、上記縦断面に表われる上記流路断面の高さの変化は、上記流路断面積の拡大を助長する。
【０１８２】
これに対し、上記第１１の観点では、上記縦断面に表われる上記流路断面の高さの変化は、上記流路断面積の拡大を助長しにくい。従って、上記の想定した場合と比較して、内側空気が流れる上記流路の流路断面積の変化率を小さくすることができる。
【０１８３】
また、第１２の観点によれば、複数のブレードはそれぞれ、そのブレードのうち分離板に対する上記軸方向の一方側の部分であるブレード一方側部分と、ブレードのうち分離板に対する上記軸方向の他方側の部分であるブレード他方側部分とを有する。そして、分離板は、ブレード一方側部分よりも上記径方向の内側にまで延びている。これにより、分離板がそうなっていない場合と比較して、分離筒と分離板との間の隙間を拡げることなく、ブレード一方側部分と分離筒との間の空間を上記径方向に拡げることできる。従って、分離筒の径方向外側を通ってブレード一方側部分の相互間へ吸い込まれる空気に生じる圧損を低減することが可能である。
【０１８４】
また、第１３の観点によれば、ファン軸心を中心としたブレード他方側部分の内径寸法は、ファン軸心を中心としたブレード一方側部分の内径寸法よりも小さい。従って、ブレード一方側部分に対する径方向内側において吸込み流路面積を稼ぎ易く、遠心ファンに吸い込まれる空気に生じる圧損の低減を図ることが可能である。
【符号の説明】
【０１８５】
１２        遠心ファン
１３        分離板
１４        ファンケーシング
１５        仕切板
１８        分離筒
１４ａ      吸入口
１２１      ブレード
１４２ａ    吹出空気通路
１４２ｂ    第１空気通路
１４２ｃ    第２空気通路
【図１】
2020016229.tif 000003
【図２】
2020016229.tif 000004
【図３】
2020016229.tif 000005
【図４】
2020016229.tif 000006
【図５】
2020016229.tif 000007
【図６】
2020016229.tif 000008
【図７】
2020016229.tif 000009
【図８】
2020016229.tif 000010
【図９】
2020016229.tif 000011
【図１０】
2020016229.tif 000012
【図１１】
2020016229.tif 000013
【図１２】
2020016229.tif 000014
【図１３】
2020016229.tif 000015
【図１４】
2020016229.tif 000016
【図１５】
2020016229.tif 000017
【図１６】
2020016229.tif 000018